(57)【特許請求の範囲】
【請求項１】
埋込形の配線器具を施工面に取り付ける際に用いる化粧プレートの開口内にコンセントと並べて配置されたスイッチ本体と、スイッチ本体の前面を覆うように取り付けられ、押操作により操作面に加わる力をスイッチ本体の前面に設けられている操作子に伝達することによってスイッチ本体の器体内の接点装置の開閉状態を切り換えるように操作されるスイッチ用ハンドルとを備え、スイッチ用ハンドルは、前記化粧プレートの開口内で前記コンセントの前面を覆う位置まで延長されたハンドル本体を備え、ハンドル本体は、スイッチ本体の前面側に取り付けられ操作面の押操作時に操作面に加わる力をスイッチ本体の操作子に伝達するベースと、ベースの前面側に取り付けられる扉体とを有し、ベースは、少なくともコンセントの前面を露出させる窓孔が形成されており前記化粧プレートの開口内の前記窓孔を除く全域を覆う大きさに形成され、扉体は、ベースの前面の全域を覆う大きさに形成されており窓孔を開放する開放位置と窓孔を塞ぐ閉塞位置との間で開閉可能であり、扉体が閉塞位置にある状態では扉体の一部がベースの前面に当接して扉体の前面が操作面となり、扉体が開放位置にある状態ではベースの前面が操作面となることを特徴とする配線器具。
【請求項２】
埋込形の配線器具を施工面に取り付ける際に用いる化粧プレートの開口内にコンセントと並べて配置されたスイッチ本体と、スイッチ本体の前面を覆うように取り付けられ、押操作により操作面に加わる力をスイッチ本体の前面に設けられている操作子に伝達することによってスイッチ本体の器体内の接点装置の開閉状態を切り換えるように操作されるスイッチ用ハンドルとを備え、スイッチ用ハンドルは、前記化粧プレートの開口内で前記コンセントの前面を覆う位置まで延長されたハンドル本体を備え、ハンドル本体は、スイッチ本体の前面側に取り付けられ押操作時に加わる力をスイッチ本体の操作子に伝達するベースと、ベースの前面側に取り付けられる扉体とを有し、ベースは、少なくともコンセントの前面を露出させる窓孔が形成されたフレームと、フレームと一体に形成された操作部とからなり、全体として前記化粧プレートの開口内の前記窓孔を除く全域を覆う大きさに形成されており、扉体は、ベースのうちフレームの前面のみを覆う大きさに形成されており窓孔を開放する開放位置と窓孔を塞ぐ閉塞位置との間で開閉可能であり、扉体が閉塞位置にある状態では扉体の一部がフレームの前面に当接して扉体の前面および操作部の前面が操作面となり、扉体が開放位置にある状態では操作部の前面が操作面となることを特徴とする配線器具。
【請求項３】
前記扉体は矩形板状であって、厚み方向の一面の一辺に沿う回転軸を支点に前記ベースに対して回動することにより前記開放位置と前記閉塞位置との間で開閉するようにベースに枢支されていることを特徴とする請求項１または請求項２に記載の配線器具。
【請求項４】
前記扉体と前記ベースとの一方は、他方に形成された軸受穴に挿入されることによりベースに対する扉体の回動支点となる前記回転軸を有しており、回転軸は、扉体が前記閉塞位置以外の位置にある状態で、扉体とベースとの少なくとも一方を破損するよりも小さく且つ扉体を開閉させるよりも大きい力が扉体に加わると軸受穴から抜けるように、軸受穴への挿入量が設定されていることを特徴とする請求項３記載の配線器具。
【請求項５】
前記扉体は矩形板状であって、厚み方向の一面の一辺に沿う両端面に当該一辺に沿って延長されたスライド溝が形成され、前記ベースには、扉体をスライド溝の延長方向に沿って挿抜可能な収納穴が形成されており、収納穴の内周面には、扉体のスライド溝に挿入されることにより、開放位置に位置する扉体を収納穴内に案内する一対のスライド軸が突設されていることを特徴とする請求項２記載の配線器具。
【請求項６】
前記スイッチ本体は、一方向に沿う一対の縦片の両端部同士を一対の横片で連結した形に形成され両縦片の間に前記一方向に沿って複数個の配線器具が取り付けられる取付枠に前記コンセントと共に取り付けられ、スイッチ本体とコンセントとは前面が短手寸法の等しい長方形状に形成されており、取付枠は、コンセントの取付スペースの前記一方向の両側にコンセントを保持する一対の保持片を有しており、スイッチ本体の前面の短手方向が前記一方向に一致し且つコンセントの前面の長手方向が前記一方向に一致するようにスイッチ本体およびコンセントを保持し、縦片からは縦片とコンセントの前面との間を埋める補強部が延出されていることを特徴とする請求項１ないし請求項５のいずれか１項に記載の配線器具。
【請求項７】
前記化粧プレートは、開口内に単位寸法のワイドハンドルを３個まで配置可能な寸法に形成され、前記ハンドル本体は、前記単位寸法のワイドハンドルの２個分の寸法に形成されていることを特徴とする請求項１ないし請求項６のいずれか１項に記載の配線器具。
【発明の詳細な説明】
【技術分野】
【０００１】
本発明は、壁等の施工面に取り付けられる埋込形の配線器具に関するものである。
【背景技術】
【０００２】
従来から、この種の配線器具として、前面に設けられている操作子の操作に応じて器体内の接点装置の開閉状態が切り換わるスイッチ本体と、スイッチ本体の前面を覆うように取り付けられ、操作面としての前面に加わる力をスイッチ本体の操作子に伝達することによってスイッチ本体の接点装置の開閉状態を切り換えるように操作されるスイッチ用ハンドルとを備えたスイッチが提供されている。このスイッチ用ハンドルは、操作面を大きくして優れた操作性を実現するように、スイッチ本体の器体の前面よりも面積の大きい操作面を採用している。具体的には、スイッチ用ハンドルの操作面は、埋込形の配線器具を施工面に取り付ける際に用いる化粧プレートの開口を埋めるような大きさに形成されている。上述の配線器具は、操作しやすいように使用者が腰を屈めることなく手が届く高さであって、且つ、家具等で隠れることのない位置に配置されることが多い。
【０００３】
ところで、埋込形の配線器具にはスイッチ以外にコンセントなどもある。コンセントに接続して使用する電気機器の中には、掃除機やドライヤなどのように使用するときにだけコンセントに接続する電気機器がある。この種の電気機器を接続するコンセントは、電気機器を使用する度にプラグの挿抜が行われるから、スイッチ本体を備えた上記配線器具と同様に、使用者が腰を屈めることなく手が届く高さであって、且つ、家具等で隠れることのない位置への配置を要望されることがある。このため、スイッチに並べてコンセントが配置される場合がある（たとえば特許文献１参照）。
【特許文献１】特開２００４−２０１３８１号公報
【発明の開示】
【発明が解決しようとする課題】
【０００４】
しかし、スイッチに並べてコンセントを配置すると、コンセントの不使用時でも、スイッチのみが設置されている場合と比較してスイッチ付近が雑然として配線器具の外観が悪くなる。また、１個の化粧プレートの開口内にコンセントとスイッチとを並べて配置する場合には、スイッチ用ハンドルの操作面の面積をスイッチのみが設置されている場合と比較してコンセントの分だけ小さくせざるを得ないので、コンセントの不使用時でも、スイッチ用ハンドルの操作面が小さくなりスイッチの操作性が悪くなるという問題がある。
【０００５】
本発明は上記事由に鑑みてなされたものであって、スイッチに並べてコンセントが設置されていても、コンセントの不使用時には、コンセントを隠すことができ且つスイッチの操作性がよい配線器具を提供することを目的とする。
【課題を解決するための手段】
【０００６】
請求項１の発明では、埋込形の配線器具を施工面に取り付ける際に用いる化粧プレートの開口内にコンセントと並べて配置されたスイッチ本体と、スイッチ本体の前面を覆うように取り付けられ、押操作により操作面に加わる力をスイッチ本体の前面に設けられている操作子に伝達することによってスイッチ本体の器体内の接点装置の開閉状態を切り換えるように操作されるスイッチ用ハンドルとを備え、スイッチ用ハンドルは、前記化粧プレートの開口内で前記コンセントの前面を覆う位置まで延長されたハンドル本体を備え、ハンドル本体は、スイッチ本体の前面側に取り付けられ操作面の押操作時に操作面に加わる力をスイッチ本体の操作子に伝達するベースと、ベースの前面側に取り付けられる扉体とを有し、ベースは、少なくともコンセントの前面を露出させる窓孔が形成されており前記化粧プレートの開口内の前記窓孔を除く全域を覆う大きさに形成され、扉体は、ベースの前面の全域を覆う大きさに形成されており窓孔を開放する開放位置と窓孔を塞ぐ閉塞位置との間で開閉可能であり、扉体が閉塞位置にある状態では扉体の一部がベースの前面に当接して扉体の前面が操作面となり、扉体が開放位置にある状態ではベースの前面が操作面となることを特徴とする。
【０００７】
この構成によれば、ベースに取り付けられ窓孔を開放する開放位置と閉塞する閉塞位置との間で開閉可能な扉体を備えるので、扉体を開放位置とすることにより窓孔を通してコンセントを使用することができ、一方、コンセントを使用しないときには扉体を閉塞位置とすることによりコンセントを扉体で覆い隠すことができ配線器具の外観がよい。また、扉体は、閉塞位置においてベースとは一体に動くから、扉体が閉塞位置にあるときには扉体を操作することによってもスイッチ本体の接点装置の開閉状態を切り換えることができ、ハンドル本体の操作面の面積が扉体のない構成に比べて扉体の分だけ広くスイッチの操作性がよい。
【０００９】
さらにこの構成によれば、扉体が閉塞位置においてベースの前面の全域を覆う大きさに形成されているので、扉体が閉塞位置にある状態ではベースの前面はほとんど露出せず配線器具の見栄えがよいという利点がある。
【００１１】
しかも、この構成によれば、扉体が開放位置にある状態でも、ベースの前面が操作面となるので、コンセントを使用しながらもスイッチを操作できるという利点がある。
【００１２】
請求項２の発明では、埋込形の配線器具を施工面に取り付ける際に用いる化粧プレートの開口内にコンセントと並べて配置されたスイッチ本体と、スイッチ本体の前面を覆うように取り付けられ、押操作により操作面に加わる力をスイッチ本体の前面に設けられている操作子に伝達することによってスイッチ本体の器体内の接点装置の開閉状態を切り換えるように操作されるスイッチ用ハンドルとを備え、スイッチ用ハンドルは、前記化粧プレートの開口内で前記コンセントの前面を覆う位置まで延長されたハンドル本体を備え、ハンドル本体は、スイッチ本体の前面側に取り付けられ押操作時に加わる力をスイッチ本体の操作子に伝達するベースと、ベースの前面側に取り付けられる扉体とを有し、ベースは、少なくともコンセントの前面を露出させる窓孔が形成されたフレームと、フレームと一体に形成された操作部とからなり、全体として前記化粧プレートの開口内の前記窓孔を除く全域を覆う大きさに形成されており、扉体は、ベースのうちフレームの前面のみを覆う大きさに形成されており窓孔を開放する開放位置と窓孔を塞ぐ閉塞位置との間で開閉可能であり、扉体が閉塞位置にある状態では扉体の一部がフレームの前面に当接して扉体の前面および操作部の前面が操作面となり、扉体が開放位置にある状態では操作部の前面が操作面となることを特徴とする。
【００１３】
この構成によれば、ベースに取り付けられ窓孔を開放する開放位置と閉塞する閉塞位置との間で開閉可能な扉体を備えるので、扉体を開放位置とすることにより窓孔を通してコンセントを使用することができ、一方、コンセントを使用しないときには扉体を閉塞位置とすることによりコンセントを扉体で覆い隠すことができ配線器具の外観がよい。また、扉体は、閉塞位置においてベースとは一体に動くから、扉体が閉塞位置にあるときには扉体を操作することによってもスイッチ本体の接点装置の開閉状態を切り換えることができ、ハンドル本体の操作面の面積が扉体のない構成に比べて扉体の分だけ広くスイッチの操作性がよい。さらに、扉体が開放状態にある状態でも、ベースの前面が操作面となるので、コンセントを使用しながらもスイッチを操作できるという利点がある。
【００１４】
請求項３の発明は、請求項１または請求項２の発明において、前記扉体が矩形板状であって、厚み方向の一面の一辺に沿う回転軸を支点に前記ベースに対して回動することにより前記開放位置と前記閉塞位置との間で開閉するようにベースに枢支されていることを特徴とする。
【００１５】
この構成によれば、扉体は、厚み方向の一面の一辺を支点にベースに対して回動することにより開閉するので、扉体の開閉を簡単に行うことができる。また、扉体の支点がコンセントとなるように配線器具を設置すれば、扉体はコンセントの上側に開くことになるので、コンセントに接続したプラグに付随するコードを、扉体に接触させることなくコンセントから下方あるいは左右方向に引き出すことができ、コードが接触することによる扉体の破損を回避できる。
【００１６】
請求項４の発明は、請求項３の発明において、前記扉体と前記ベースとの一方が、他方に形成された軸受穴に挿入されることによりベースに対する扉体の回動支点となる前記回転軸を有しており、回転軸が、扉体が前記閉塞位置以外の位置にある状態で、扉体とベースとの少なくとも一方を破損するよりも小さく且つ扉体を開閉させるよりも大きい力が扉体に加わると軸受穴から抜けるように、軸受穴への挿入量が設定されていることを特徴とする。
【００１７】
この構成によれば、扉体が閉塞位置以外の位置にある状態で、扉体とベースとの少なくとも一方を破損するよりも小さく且つ扉体を開閉させるよりも大きい力が扉体に加わると、回転軸と軸受穴との係合が解除されるので、コンセントを使用する際に、コンセントに接続するプラグやこのプラグに付随するコードが扉体に衝突しても、扉体やベースが破損する前に扉体がベースから外れることになり、結果的に扉体やベースの破損を回避できる。
【００１８】
請求項５の発明は、請求項２の発明において、前記扉体が矩形板状であって、厚み方向の一面の一辺に沿う両端面に当該一辺に沿って延長されたスライド溝が形成され、前記ベースには、扉体をスライド溝の延長方向に沿って挿抜可能な収納穴が形成されており、収納穴の内周面には、扉体のスライド溝に挿入されることにより、開放位置に位置する扉体を収納穴内に案内する一対のスライド軸が突設されていることを特徴とする。
【００１９】
この構成によれば、扉体を開放位置において収納穴に収納することができるので、コンセントを使用する際に扉体が邪魔になることはないという利点がある。
【００２０】
請求項６の発明は、請求項１ないし請求項５のいずれかの発明において、前記スイッチ本体が、一方向に沿う一対の縦片の両端部同士を一対の横片で連結した形に形成され両縦片の間に前記一方向に沿って複数個の配線器具が取り付けられる取付枠に前記コンセントと共に取り付けられ、スイッチ本体とコンセントとは前面が短手寸法の等しい長方形状に形成されており、取付枠が、コンセントの取付スペースの前記一方向の両側にコンセントを保持する一対の保持片を有しており、スイッチ本体の前面の短手方向が前記一方向に一致し且つコンセントの前面の長手方向が前記一方向に一致するようにスイッチ本体およびコンセントを保持し、縦片からは縦片とコンセントの前面との間を埋める補強部が延出されていることを特徴とする。
【００２１】
この構成によれば、取付枠の縦片は、コンセントを囲む部分がスイッチ本体を囲む部分よりも補強部の分だけ広幅に形成されることになるので、取付枠においてコンセントが取り付けられる部分の強度を、スイッチ本体が取り付けられる部分に比べて高くでき、コンセントへのプラグの挿抜時にコンセントに過大な力が加わっても取付枠が破損することを防止できる。
【００２２】
請求項７の発明は、請求項１ないし請求項６のいずれかの発明において、前記化粧プレートが、開口内に単位寸法のワイドハンドルを３個まで配置可能な寸法に形成され、前記ハンドル本体が、前記単位寸法のワイドハンドルの２個分の寸法に形成されていることを特徴とする。
【００２３】
この構成によれば、ハンドル本体は、単位寸法のワイドハンドルの２個分の寸法に形成されているので、化粧プレートの開口内には、ハンドル本体と共に単位寸法のワイドハンドルを１個配置することができる。
【発明の効果】
【００２４】
本発明は、ベースに取り付けられ窓孔を開放する開放位置と閉塞する閉塞位置との間で開閉可能な扉体を備えるので、扉体を開放位置とすることにより窓孔を通してコンセントを使用することができ、一方、コンセントを使用しないときには扉体を閉塞位置とすることによりコンセントを扉体で覆い隠すことができ配線器具の外観がよい。また、扉体は、閉塞位置においてベースとは一体に動くから、扉体が閉塞位置にあるときには扉体を操作することによってもスイッチ本体の接点装置の開閉状態を切り換えることができ、ハンドル本体の操作面の面積が扉体のない構成に比べて扉体の分だけ広くスイッチの操作性がよいという利点がある。
【発明を実施するための最良の形態】
【００２５】
（実施形態１）
本実施形態の配線器具は、図２に示すように直方体状の器体２を有したスイッチ本体１と、スイッチ本体１の前面を覆うように取り付けられるスイッチ用ハンドル３とを備えたスイッチである。スイッチ本体１は、器体２の前面（図２の上方を前方とする）に設けた操作子４が、スイッチ用ハンドル３の後述する操作によって後方に押し込まれることにより、器体２内に収納された接点装置（図示せず）の開閉状態の切り換えが行われるものである。
【００２６】
器体２は、前面開口したボディ５とボディ５の前面側に結合される後面開口したカバー６とで形成される。操作子４は、前後方向に移動可能にカバー６の前面に設けられている。本実施形態のスイッチ本体１は、前方に付勢された操作子４が後方に押し込まれるごとに、接点装置がオン・オフするものである。また、スイッチ本体１の器体２における前面の左端部には、上下方向に並ぶ２個の軸部７が突設されている。軸部７については後述する。
【００２７】
カバー６の左右方向（図２の左上方を左方とする）の各側面には、埋込形の配線器具を壁面等の施工面に取り付ける際に用いる取付枠８に設けた器具取付孔９に係合可能な取付爪１０が一対ずつ突設してあり、取付枠８に器体２を取り付けられるようにしてある。図２に示す取付枠８は、上下方向に沿う一対の縦片１１の両端部同士を一対の横片１２で連結することにより上下方向に長い矩形枠状に形成されており、各縦片１１のうち、矩形状に開口した取付窓１３に臨む部位には２個１組の上記器具取付孔９が上下方向に３組ずつ列設されている。本実施形態のスイッチ本体１は、この取付枠８の取付窓１３における上下方向の３分の１の寸法（以下、「基準寸法」という）に形成されており、この構成により、取付枠８の取付窓１３内には上記スイッチ本体１を上下方向に３個まで取り付け可能である。
【００２８】
取付枠８の各横片１２には、施工面に埋設された埋込ボックス（図示せず）に取付枠８を取り付けるためのボックス用ねじ（図示せず）を挿通する長孔１４と、取付枠８との間に壁パネル等を挟持する挟み金具（図示せず）の一部を係止させる挟み金具用孔１５と、取付枠８を施工面に直付けするためのねじ（図示せず）を挿通するねじ挿通孔１６と、化粧プレート１７を取り付けるための取付ねじ（図示せず）が螺合する取付ねじ孔１８とがそれぞれ形成されている。
【００２９】
化粧プレート１７は、上下方向に長い矩形枠状のベースプレート１９と、ベースプレート１９の前面に覆着される表面プレート２０とで構成される。ベースプレート１９は、左右両側片に夫々複数個（図では３個）ずつの係合孔２１が各側縁に沿って形成されており、上下両端片には化粧プレート１７を取付枠８に取り付けるための取付ねじを挿通する取付透孔２２が貫設されている。表面プレート２０は、係合孔２１内に引っ掛かるように形成された係合爪（図示せず）が各係合孔２１に対応する位置にそれぞれ突設されており、係合爪を係合孔２１に係合させることによりベースプレート１９に着脱自在に結合される。このように構成される化粧プレート１７には、取付枠８の取付窓１３を前方に露出させる開口２３が形成されている。
【００３０】
スイッチ用ハンドル３は、図１（ａ）に示すように化粧プレート１７の開口２３を埋める大きさに形成されており、操作面２４としての前面に加わる力をスイッチ本体１の操作子４に伝達する。ここでは、スイッチ用ハンドル３の後面に、スイッチ本体１の上記軸部７が嵌入される軸受部（図示せず）が形成されており、スイッチ用ハンドル３は、軸部７を中心としてスイッチ本体１の器体２に対して回動自在に枢支される。なお、スイッチ用ハンドル３の後面には、スイッチ本体１に形成された規制孔（図示せず）内に挿入され、スイッチ用ハンドルが回動しても規制孔から抜けないように形成された抜止片（図示せず）が突設されている。
【００３１】
すなわち、ここで例示するスイッチ用ハンドル３はピアノハンドルと呼ばれるものであって、スイッチ本体１の器体２の前面側に取り付けられた状態で、操作面２４が押操作されると、スイッチ本体１の器体２に対して軸部７を中心に回動する。スイッチ用ハンドル３が回動すると、スイッチ本体１の操作子４がスイッチ用ハンドル３の後面に当接して後方に押し込まれ、接点装置の開閉状態が切り換わることになる。このスイッチ用ハンドル３は操作面２４の面積がスイッチ本体１の前面よりも大きく形成された所謂ワイドハンドルであるから、スイッチ用ハンドル３を用いたほうがスイッチ本体１の操作子４を直接操作するよりも操作性がよい。
【００３２】
なお、周知のワイドハンドルには、上述の取付枠８に基準寸法のスイッチ本体１を３個取り付けるときに用いる３個用のワイドハンドル（以下、「単位寸法のワイドハンドル」という）と、単位寸法のワイドハンドルの１．５倍の上下寸法であって上述の取付枠８に基準寸法のスイッチ本体１を２個取り付けるときに用いる２個用のワイドハンドルと、単位寸法のワイドハンドルの３倍の上下寸法であって上述の取付枠８に基準寸法のスイッチ本体１を１個取り付けるときに用いる１個用のワイドハンドルとがある。つまり、１個用のワイドハンドルは１個で上述の化粧プレート１７の開口２３を埋める大きさに形成され、２個用のワイドハンドルは上下方向に２個並べられることにより同化粧プレート１７の開口２３を埋める大きさに形成され、３個用（単位寸法）のワイドハンドルは上下方向に３個並べられることにより同化粧プレート１７の開口２３を埋める大きさに形成されたものである。本実施形態のスイッチ用ハンドル３は、単位寸法のワイドハンドルの３個分の寸法である１個用のワイドハンドルであって、１個で上述の化粧プレート１７の開口２３を埋める。
【００３３】
また、本実施形態の配線器具では、スイッチ本体１の前面であって操作子４の左側方に、発光ダイオードからなり接点装置の開閉状態を表示する表示部２６が設けられている。そこで、スイッチ用ハンドル３において表示部２６に対応する位置には、表示部２６の前面を露出させる透孔２７を貫設し、透孔２７にレンズ２８（図２参照）を嵌め込んだ構成を採用することにより、スイッチ用ハンドル３を取り付けても表示部２６を視認可能としてある。
【００３４】
ところで、上述したように構成される本実施形態の配線器具は、図２に示すように、基準寸法の配線器具を３個まで取り付け可能な寸法の取付枠８に対して、基準寸法のコンセント２９と共に取り付けられる。要するに、１個の化粧プレート１７の開口２３内にコンセント２９とスイッチ本体１とが並べて配置されることになる。コンセント２９は、器体３０の左右各側面から一対ずつ突出した取付爪３１を取付枠８の器具取付孔９に係合させることにより取付枠８に取り付けられる。ここでは、取付枠８の取付窓１３内において基準寸法の配線器具を取り付け可能な３箇所（上段、中段、下段）のうち下段にコンセント２９、中段にスイッチ本体１がそれぞれ取り付けられており、スイッチ本体１とコンセント２９とのいずれもが、前面の短手方向を上下方向に一致させる向きで取付枠８に取り付けられている。なお、取付枠８のうちコンセント２９が取り付けられる下段においては、器具取付孔９の形状がコンセント２９の取付爪３１に合わせて設計されており、且つ縦片１１から取付窓１３内に突出し、器体３０に当接することによってコンセント２９の前方への移動を規制する突片２５が形成されている。右側の縦片１１に設けたコンセント２９用の一対の器具取付孔９は互いに連結されており、当該一対の器具取付孔９の間となる部分を右側に撓ませれば当該器具取付孔９と取付爪３１との係合が解除される構造としてある（図１１参照）。
【００３５】
ここにおいて、化粧プレート１７の開口２３内にコンセント２９とスイッチ本体１とが並べて配置されているものの、本実施形態のスイッチ用ハンドル３は上述のように１個で化粧プレート１７の開口２３を埋める大きさに形成されているから、このスイッチ用ハンドル３によってコンセント２９が覆い隠されてしまうことになる。そこで、本実施形態の配線器具では、スイッチ用ハンドル３を以下の構成とすることによりコンセント２９を使用可能としてある。
【００３６】
すなわち、スイッチ用ハンドル３は、図２に示すように、少なくともコンセント２９の前面を露出させる窓孔３２が形成されており操作面２４に加わる力をスイッチ本体１の操作子４に伝達するベース３３と、ベース３３に取り付けられ窓孔３２を開放する開放位置と閉塞する閉塞位置との間で開閉可能な扉体３４とを有したハンドル本体３５を備えている。ハンドル本体３５は、化粧プレート１７の開口２３内でスイッチ本体１の前面だけでなくコンセント２９の前面をも覆う位置まで延長されている。上述の軸受部や抜止片はベース３３に設けられており、ベース３３がスイッチ本体１の器体２に取り付けられることになる。
【００３７】
ベース３３は、図１（ｂ）に示すように、上下方向に長い棒状であって化粧プレート１７の開口２３の左端部に配置される軸片３６と、正面視が左方に開放されたコ字状であって軸片３６の上下両端部同士を連結するコ字片３７とで構成された矩形枠状のフレーム３８を有し、窓孔３２が貫設された主板３９がフレーム３８に囲まれた位置に形成されている。フレーム３８の前面は主板３９よりも前方に位置する。ここにおいて、窓孔３２は栓刃挿入孔４０が形成されたコンセント２９の前面と略同形状に形成されており、化粧プレート１７の開口２３はコンセント２９の前面を除く全域がベース３３のフレーム３８と主板３９とで覆われることになる。
【００３８】
一方、本実施形態の扉体３４は、閉塞位置において図１（ａ）のようにベース３３の前面の全域を覆う大きさに形成されている。扉体３４は、ベース３３の軸片３６を上下方向に挟む位置に突出した一対の腕片４１を有し、各腕片４１において軸片３６との対向面にそれぞれ突設された回転軸４２を、軸片３６の上下両端面に設けられている軸受穴４３に挿入することによってベース３３に枢支される。この構成により、扉体３４はベース３３に対して回転軸４２を中心に回動可能となる。扉体３４のうち閉塞位置においてベース３３の前面と対向する面の周部には図１（ｂ）に示すリブ４４が突設されており、扉体３４は、閉塞位置においてベース３３のコ字片３７の前面にリブ４４を当接させる。しかして、扉体３４は、閉塞位置において前面（操作面２４）が押操作されると、ベース３３と一体に動いてベース３３を後方に押し込むことになる。ここで、扉体３４のうち閉塞位置において少なくともコンセント２９の前面に対向する部位は、扉体３４が押操作されてもコンセント２９に接触しないように、コンセント２９の前面との間に所定の隙間を有している。なお、扉体３４が閉塞位置にある状態でベース３３の軸片３６の前面と扉体３４の前面とが面一になるように、ベース３３のコ字片３７の前面を軸片３６よりも後方に形成してある。
【００３９】
上述した構成によれば、コンセント２９を使用しないときには図１（ａ）のように扉体３４を閉塞位置とすることによりコンセント２９を扉体３４で覆い隠すことができ外観がよい。特に、本実施形態では、扉体３４が閉塞位置においてベース３３の前面の全域を覆う大きさに形成されているから、扉体３４が閉塞位置にある状態ではベース３３の前面はほとんど露出せず配線器具の見栄えがよい。一方、コンセント２９を使用するときには、図１（ｂ）のように扉体３４を開けて開放位置とするだけで窓孔３２を通してコンセント２９を使用することができ、スイッチ用ハンドル３をスイッチ本体１から取り外す必要はないので、スイッチ用ハンドル３を紛失するおそれはなく、コンセント２９を使用し終わった際には扉体３４を閉じて閉塞位置に戻すだけでよい。
【００４０】
さらに、扉体３４が閉塞位置にあるときには、扉体３４がベース３３と一体に動くから、扉体３４を操作することによってもスイッチ本体１の接点装置の開閉状態を切り換えることができ、スイッチのみを設置する場合と比較してもハンドル本体３５の操作面２４の面積が狭まることはなく、スイッチの操作性がよい。また、窓孔３２はコンセント２９の前面と略同形状に形成されており、スイッチ本体１の前面に設けた操作子４はベース３３の主板３９によって常に覆われているので、扉体３４が開放位置にある状態でも主板３９の前面が操作面２４となり、コンセント２９を使用しながらもスイッチを操作できるという利点がある。
【００４１】
また、扉体３４の回転軸４２は、扉体３４が閉塞位置以外の位置にある状態で、扉体３４とベース３３との少なくとも一方を破損するよりも小さく且つ扉体３４を開閉させるよりも大きい力が扉体３４に加わると軸受穴４３から抜けるように、軸受穴４３への挿入量が設定されている。これにより、たとえばコンセント２９に接続したプラグ（図示せず）に付随するコード（図示せず）が扉体３４に接触するなどして扉体３４に無理な力が加わっても、扉体３４やベース３３が破損する前に、回転軸４２と軸受穴４３との係合が解除されて扉体３４がベース３３から外れるので、扉体３４やベース３３が破損することを回避できる。
【００４２】
さらに、ここでは扉体３４における閉塞位置での右側面に、上下方向に沿って突条４５が形成されており、閉塞位置にある扉体３４を開いて開放位置に移動させる際には、使用者がこの突条４５に爪などを引掛けることにより扉体３４を容易に開くことができる。
【００４３】
なお、本実施形態ではピアノハンドルを採用した配線器具を例示したが、この構成に限るものではなく、たとえば操作子４がスイッチ本体１の器体２に対して揺動自在であり、スイッチ用ハンドル３の操作面２４における前方に突出している一端部を後方に押圧する操作により接点装置の開閉状態が切り換わるシーソースイッチに本発明を適用してもよい。また、本実施形態の配線器具（スイッチ）を、扉付コンセントや抜止機構付コンセント、あるいはモジュラジャックコンセントやスイッチなど、上記コンセント２９以外の配線器具と並べて配置し、窓孔３２からこれらの配線器具を露出させる構成としてもよい。
【００４４】
（実施形態２）
本実施形態の配線器具は図３（ａ）に示すように、スイッチ用ハンドル３の扉体３４が、閉塞位置においてベース３３の前面の全域ではなく窓孔３２を含むベース３３の一部を覆う形に形成されている点で実施形態１とは相違する。ここでは、取付枠８の取付窓１３内において基準寸法の配線器具を取り付け可能な３箇所（上段、中段、下段）のうち下段にコンセント２９、上段にスイッチ本体１がそれぞれ取り付けられており、中段は空きスペースとなる。
【００４５】
ベース３３においては、図３（ｂ）および図４に示すように、軸片３６とコ字片３７とで構成されたフレーム３８が、窓孔３２を囲む形に形成され、フレーム３８の上方には、扉体３４の開閉にかかわらず前面が操作面２４として機能する操作部４６がフレーム３８と連続一体に形成されている。ここでは、扉体３４が閉塞位置にある状態で、ベース３３の軸片４１および操作部４６の前面と扉体３４の前面とが面一になるように寸法設定されている。この構成によれば、扉体３４が開放状態にある状態でもベース３３の操作部４６の前面が操作面２４となるので、コンセント２９を使用しながらでもスイッチを操作できる。
【００４６】
また、図５（ａ）、（ｂ）に示すように扉体３４が下端部を上方に持ち上げて開く構成であってもよい。図５（ａ）、（ｂ）の例では、ベース３３は、図６に示すように操作部４６の下端縁に沿うように軸片３６を操作部４６と連続一体に形成し、正面視が上方に開放されたコ字状のコ字片３７で軸片３６の両端部同士を連結して成る。しかして、扉体３４は、上端部に形成された一対の腕片４１でベース３３に取り付けられ、上端縁を支点にベース３３に対して回動することにより開閉する。これにより、扉体３４はコンセント２９の上側に開くことになるので、コンセント２９に接続したプラグに付随するコードを、扉体３４に接触させることなくコンセント２９から下方あるいは左右方向に引き出すことができ、コードが接触することによる扉体３４の破損を回避できるという利点がある。
【００４７】
さらにまた、図７（ａ）、（ｂ）に示すように、開放位置（ここでは上側に開く構成を採用している）にある扉体３４をベース３３の前面から突出しない位置まで後退させるように収納する収納穴４７をベース３３に形成してもよい。図７（ａ）、（ｂ）の例では、扉体３４はベース３３よりも左右寸法が小さく形成され、ベース３３の操作部４６は扉体３４の左右両側にまで延長される。さらに、扉体３４においては、図８に示すように腕片４１が省略され左右各側面にそれぞれ長手方向に沿うスライド溝５１が形成される。ベース３３においては、収納穴４７が窓孔３２の上方に軸片３６に代えて形成されるとともに収納穴４７と窓孔３２とを隔てる隔壁４８が設けられ、この隔壁４８の左右両端部同士が上方に開放されたコ字状のコ字片３７で連結されている。収納穴４７は、取付枠８の取付窓１３内において基準寸法の配線器具を取り付け可能な３箇所（上段、中段、下段）のうち、空きスペースとなる中段に対応した位置に形成される。収納穴４７の左右両側面には、図９に示すように互いに対向する一対のスライド軸５２が突設され、このスライド軸５２を扉体３４のスライド溝５１に挿入することにより扉体３４がベース３３に保持される。
【００４８】
この構成によれば、スライド溝５１の長手方向に沿ってスライド軸５２が摺動するように扉体３４を前後方向に移動させることにより、扉体３４を収納穴４７に挿抜することができる。ここで、収納穴４７はスイッチ本体１とコンセント２９との間の空きスペース（取付枠８の中段）に対応した位置に形成されているので、収納穴４７に挿入された扉体３４は、スイッチ本体１とコンセント２９との間に収納されることになる。このように扉体３４が開放位置において収納穴４７に収納されていると、ベース３３の前面から扉体３４が突出しないので、コンセント２９を使用する際に扉体３４が邪魔になることはないという利点がある。扉体３４を収納穴４７から引き出した状態では、両スライド軸５２を支点として扉体３４を回動させることにより扉体３４を開閉することができる。
【００４９】
その他の構成および機能は実施形態１と同様である。
【００５０】
（実施形態３）
本実施形態の配線器具は、図１０（ｂ）に示すように前面の長手方向（栓刃挿入孔４０が並ぶ方向）を上下方向に一致させるように配置されたコンセント２９と共に取付枠８’に取り付けられている点が実施形態１の配線器具とは相違する。
【００５１】
本実施形態で用いる取付枠８’は、図１１に示すように基準寸法の配線器具をそれぞれ最大１個取り付け可能な２個の取付窓１３ａ，１３ｂが上下方向に並んで形成されており、下方の取付窓１３ｂの上下両端縁には上下方向に対向する一対の保持片４９が設けられている点が実施形態１で示した取付枠８とは異なる。上方の取付窓１３ａ内に配置される配線器具（スイッチ本体１）は、各縦片１１のうち当該取付窓１３ａに臨む部位にそれぞれ設けられた２個１組の器具取付孔９を用いて取付枠８’に取り付けられ、下方の取付窓１３ｂ内に配置される配線器具（コンセント２９）は、各保持片４９にそれぞれ設けられた２個１組の器具取付孔９を用いて取付枠８’に取り付けられる。しかして、スイッチ本体１は前面の短手方向を上下方向に一致させる向きで取付枠８’に保持され、コンセント２９は前面の長手方向を上下方向に一致させる向きで取付枠８’に保持される。なお、コンセント２９が配置される取付窓１３ｂにおいては、器具取付孔９の形状がコンセント２９の取付爪３１に合わせて設計されており、且つ保持片４９から取付窓１３ｂ内に突出し、器体３０に当接することによってコンセント２９の前方への移動を規制する突片２５が形成されている。
【００５２】
ここで、コンセント２９はスイッチ本体１に比べて左右寸法が小さくなるので、コンセント２９およびスイッチ本体１の左右両側方に位置する縦片１１からは、縦片１１とコンセント２９との間の隙間を埋める形で補強部５０が延出されている。つまり、縦片１１においては、コンセント２９を囲む部分がスイッチ本体１を囲む部分よりも補強部５０の分だけ広幅に形成されることになる。この構成によれば、取付枠８’においてコンセント２９が取り付けられる部分（つまり下方の取付窓１３ｂの周囲）の強度を、スイッチ本体１が取り付けられる部分（つまり上方の取付窓１３ａの周囲）に比べて縦片１１が広幅な分だけ高くでき、コンセント２９へのプラグの挿抜時にコンセント２９に過大な力が加わっても取付枠８’が破損することを防止できる。なお、ここではベース３３において扉体３４の回転軸となる軸片３６からコンセント２９が極力離れるように、取付枠８’において右側の縦片１１寄りにコンセント２９が取り付けられる取付窓１３ｂを配置し、扉体３４が開放位置にあるときに扉体３４とコンセント２９とが干渉しにくい構成としてある。
【００５３】
また、コンセント２９が縦向きに配置されている本実施形態では、図１０（ｂ）のようにベース３３の窓孔３２が上下方向に長く形成されることになるので、ベース３３の軸片３６の左右寸法を比較的大きく確保することができる。さらに扉体３４においては、腕片４１以外の部位の左右寸法がベース３３に比べて小さく形成されていても、図１０（ａ）のように、閉塞位置において窓孔３２を覆い隠すことができる。
【００５４】
その他の構成および機能は実施形態１と同様である。
【００５５】
（実施形態４）
本実施形態の配線器具は図１２（ａ）、（ｂ）に示すように、スイッチ用ハンドル３が、実施形態１で示した化粧プレート１７の開口２３内において他の単位寸法のスイッチ用ハンドル３’（ワイドハンドル）を１個配置な隙間を生じる寸法に形成されている点が実施形態１の配線器具とは相違する。
【００５６】
すなわち、本実施形態のスイッチ用ハンドル３は、実施形態１で説明した単位寸法のワイドハンドルの２個分の寸法に形成されており、他の単位寸法のスイッチ用ハンドル３’と共に化粧プレート１７の開口２３を埋める形に取り付けられる。ここでは、図１３に示すように、取付枠８の取付窓１３内において、基準寸法の配線器具を取り付け可能な３箇所（上段、中段、下段）のうち下段にコンセント２９、中段にスイッチ本体１がそれぞれ取り付けられており、さらに上段に別のスイッチ本体１’が取り付けられている。両スイッチ本体１，１’とコンセント２９とは、いずれも前面の短手方向を上下方向に一致させる向きで取付枠８に取り付けられている。中段のスイッチ本体１と下段のコンセント２９とはベース３３および扉体３４を有するスイッチ用ハンドル３で覆われ、上段のスイッチ本体１’は単位寸法のスイッチ用ハンドル３’で覆われる。２個のスイッチ本体１，１’は、たとえば階段の照明および廊下の照明など別々の２回路にそれぞれ接続される。
【００５７】
この構成によれば、基準寸法の配線器具を最大３個取り付け可能な取付枠８に、１個のコンセント２９と２個のスイッチ本体１，１’との合計３個の配線器具を配置することにより、取付枠８の設置スペースを無駄なく使用することができる。
【００５８】
その他の構成および機能は実施形態１と同様である。
【図面の簡単な説明】
【００５９】
【図１】本発明の実施形態１の構成を示し、（ａ）は扉体が閉塞位置にある状態の斜視図、（ｂ）は扉体が開放位置にある状態の斜視図である。
【図２】同上の分解斜視図である。
【図３】本発明の実施形態２の構成を示し、（ａ）は扉体が閉塞位置にある状態の斜視図、（ｂ）は扉体が開放位置にある状態の斜視図である。
【図４】同上の分解斜視図である。
【図５】同上の他の構成を示し、（ａ）は扉体が閉塞位置にある状態の斜視図、（ｂ）は扉体が開放位置にある状態の斜視図である。
【図６】同上の分解斜視図である。
【図７】同上のさらに他の構成を示し、（ａ）は扉体が閉塞位置にある状態の斜視図、（ｂ）は扉体が開放位置にある状態の斜視図である。
【図８】同上の分解斜視図である。
【図９】同上のハンドル本体の分解斜視図である。
【図１０】本発明の実施形態３の構成を示し、（ａ）は扉体が閉塞位置にある状態の斜視図、（ｂ）は扉体が開放位置にある状態の斜視図である。
【図１１】同上の分解斜視図である。
【図１２】本発明の実施形態４の構成を示し、（ａ）は扉体が閉塞位置にある状態の斜視図、（ｂ）は扉体が開放位置にある状態の斜視図である。
【図１３】同上のスイッチ用ハンドルを外した状態を示す正面図である。
【符号の説明】
【００６０】
１  スイッチ本体
２  器体
３，３’  スイッチ用ハンドル
４  操作子
８，８’  取付枠
１１  縦片
１２  横片
１７  化粧プレート
２３  開口
２４  操作面
２９  コンセント
３２  窓孔
３３  ベース
３４  扉体
３５  ハンドル本体
４２  回転軸
４３  軸受穴
４７  収納穴
５０  補強部
５１  スライド溝
５２  スライド軸
【図１】
0004572869.tif 000002
【図２】
0004572869.tif 000003
【図３】
0004572869.tif 000004
【図４】
0004572869.tif 000005
【図５】
0004572869.tif 000006
【図６】
0004572869.tif 000007
【図７】
0004572869.tif 000008
【図８】
0004572869.tif 000009
【図９】
0004572869.tif 000010
【図１０】
0004572869.tif 000011
【図１１】
0004572869.tif 000012
【図１２】
0004572869.tif 000013
【図１３】
0004572869.tif 000014